(57)【要約】【課題】記録媒体の会員情報の管理機能を、通信端末機に簡易に移行することができる会員管理機能付加システム、通信端末機用プログラム及び管理サーバ用プログラムを提供する。【解決手段】会員管理機能付加システム１は、会員ＩＤが記録された会員カード１０と、外部に対してデータを送受信する通信部３３と、当該携帯電話機３０を識別する識別情報を記憶した記憶部３２とを有した携帯電話機３０と、会員カード１０及び携帯電話機３０からそれぞれ会員ＩＤ及び識別情報を読み出す読取機２０と、会員ＩＤ及び識別情報に基づいて会員ＩＤを管理する管理アプリケーションを携帯電話機３０にダウンロードさせるデータ管理サーバ４０とを備える。【選択図】図１
2009075901.tif 000002
【特許請求の範囲】
【請求項１】
会員情報が記録された記録媒体と、
外部に対してデータを送受信する通信部と、当該通信端末機を識別する識別情報を記憶した記憶部とを有した通信端末機と、
前記記録媒体及び前記通信端末機からそれぞれ前記会員情報及び前記識別情報を読み出す読み出し機と、
前記会員情報及び前記識別情報に基づいて前記会員情報を管理するアプリケーションを前記通信端末機にダウンロードさせるデータ管理サーバとを備え、
前記読み出し機は、前記記憶媒体及び前記通信端末機からそれぞれ前記会員情報及び前記識別情報を読み出したときに、前記会員情報及び前記識別情報を前記データ管理サーバへ送信させる旨の送信命令を、前記会員情報及び前記識別情報とともに前記通信端末機に出力し、
前記通信端末機は、前記読み出し機から入力された前記送信命令に基づいて、前記会員情報及び前記識別情報を、前記通信部を介して前記データ管理サーバに送信し、
前記データ管理サーバは、前記通信端末機から受信した前記会員情報及び前記識別情報に基づいて、前記アプリケーションのダウンロード用の管理情報を作成し、前記アプリケーションのダウンロード用の管理情報のアドレスを前記通信端末機に送信し、
前記通信端末機は、前記データ管理サーバから受信した前記ダウンロード用の管理情報のアドレスに基づいて、前記データ管理サーバから前記アプリケーションをダウンロードし、ダウンロードした前記アプリケーションと前記会員情報とを前記記憶部に記憶すること、
を特徴とする会員管理機能付加システム。
【請求項２】
請求項１に記載の会員管理機能付加システムにおいて、
前記通信端末機は、前記記憶部に記憶した前記アプリケーションを初めて起動したときに、前記データ管理サーバから受信した識別情報と、予め前記記憶部に記憶された識別情報とを比較し、識別情報が一致したときに前記会員情報を前記記憶部に記憶すること、
を特徴とする会員管理機能付加システム。
【請求項３】
請求項１又は請求項２に記載の会員管理機能付加システムにおいて、
前記通信端末機の通信部は、電子メールを送受信可能であり、
前記通信端末機は、前記読み出し機から前記送信命令を受信したときに、前記会員情報及び前記識別情報に基づいた電子メール文書を作成するか否かを選択するページを作成し、前記ページにおいて前記電子メール文書を作成すると選択された場合に、前記電子メール文書に前記会員情報及び前記識別情報を含ませて前記データ管理サーバに送信すること、
を特徴とする会員管理機能付加システム。
【請求項４】
請求項１から請求項３までのいずれか１項に記載の会員管理機能付加システムにおいて、
前記読み出し機は、前記会員情報及び前記識別情報を暗号化して前記通信端末機に出力すること、
を特徴とする会員管理機能付加システム。
【請求項５】
請求項１から請求項４までのいずれか１項に記載の会員管理機能付加システムの通信端末機に、
前記読み出し機から前記送信命令を受信する命令受信手順と、
前記命令受信手順で受信した送信命令に基づいて、前記会員情報及び前記識別情報を前記データ管理サーバに送信する情報送信手順と、
前記データ管理サーバで作成された前記アプリケーションのダウンロード用の管理情報のアドレスを前記通信端末機に受信するアドレス受信手順と、
前記アドレス受信手順で受信した前記アプリケーションのダウンロード用の管理情報のアドレスに基づいて、前記データ管理サーバから前記アプリケーションをダウンロードするダウンロード手順と、
前記ダウンロード手順でダウンロードした前記アプリケーションと前記会員情報とを記憶する記憶手順と、
を実行させる通信端末機用プログラム。
【請求項６】
請求項１から請求項４までのいずれか１項に記載の会員管理機能付加システムのデータ管理サーバに、
前記通信端末機から前記会員情報及び前記識別情報を受信させる受信手順と、
前記受信手順で受信した前記会員情報及び前記識別情報に基づいて、前記アプリケーションのダウンロード用の管理情報を作成する作成手順と、
前記作成手順で作成した前記アプリケーションのダウンロード用の管理情報のアドレスを前記通信端末機に送信させる送信手順と、
前記アプリケーションのダウンロード用の管理情報に対して前記通信端末機からアクセスがあったときに、前記通信端末機に前記アプリケーションをダウンロードさせるダウンロード手順と、
を実行させるデータ管理サーバ用プログラム。
【発明の詳細な説明】
【技術分野】
【０００１】
本発明は、会員情報を記録媒体から通信端末機に移行して、通信端末機で会員情報を管理可能にする会員管理機能付加システム、通信端末機用プログラム及び管理サーバ用プログラムに関するものである。
【背景技術】
【０００２】
家電量販店などの小売店では、顧客の購買意欲を向上させるために購入額に応じたポイントを付加して、そのポイントに基づいて商品の値引きなどの特典を顧客に提供するポイント制が実施されている。そのため、小売店は、会員番号などの会員情報を記録した会員カード（記録媒体）を顧客に手渡しており、商品の購入時などに顧客から会員カードを受け取り、そこに記録されている会員番号によって、顧客一人ひとりのポイントを管理している。
【０００３】
昨今の携帯電話機（通信端末機）の技術進歩にともない、会員カードの代わりに顧客の携帯電話機に会員カードの機能を設けて、顧客にわざわざ会員カードを持参させなくても商品購入時にポイントを付加できる技術が提案、実現されている（例えば、特許文献１参照）。
特許文献１のポイント利用方法は、顧客が携帯電話機でサービス提供サーバにアクセスすることによって、それまでに獲得したポイントに応じた特定のサービスを受けることができる方法である。しかし、このような通信端末機でポイントを管理するためには、従来から使用されている会員カードから携帯電話機に会員情報を移行する必要があり、その会員情報を移行するときに、猥雑な手続きや、携帯電話機に会員情報を入力させるなどの作業が必要になり、簡易に移行作業し辛いという問題があった。
【特許文献１】特開２００６−２０９６９６号公報
【発明の開示】
【発明が解決しようとする課題】
【０００４】
本発明の課題は、記録媒体の会員情報の管理機能を、通信端末機に簡易に移行することができる会員管理機能付加システム、通信端末機用プログラム及び管理サーバ用プログラムを提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、会員情報が記録された記録媒体（１０）と、外部に対してデータを送受信する通信部（３３）と、当該通信端末機（３０）を識別する識別情報を記憶した記憶部（３２）とを有した通信端末機（３０）と、前記記録媒体（１０）及び前記通信端末機（３０）からそれぞれ前記会員情報及び前記識別情報を読み出す読み出し機（２０）と、前記会員情報及び前記識別情報に基づいて前記会員情報を管理するアプリケーションを前記通信端末機（３０）にダウンロードさせるデータ管理サーバ（４０）とを備え、前記読み出し機（２０）は、前記記憶媒体（１０）及び前記通信端末機（３０）からそれぞれ前記会員情報及び前記識別情報を読み出したときに、前記会員情報及び前記識別情報を前記データ管理サーバ（４０）へ送信させる旨の送信命令を、前記会員情報及び前記識別情報とともに前記通信端末機（３０）に出力し、前記通信端末機（３０）は、前記読み出し機（２０）から入力された前記送信命令に基づいて、前記会員情報及び前記識別情報を、前記通信部（３３）を介して前記データ管理サーバ（４０）に送信し、前記データ管理サーバ（４０）は、前記通信端末機（３０）から受信した前記会員情報及び前記識別情報に基づいて、前記アプリケーションのダウンロード用の管理情報を作成し、前記アプリケーションのダウンロード用の管理情報のアドレスを前記通信端末機（３０）に送信し、前記通信端末機（３０）は、前記データ管理サーバ（４０）から受信した前記ダウンロード用の管理情報のアドレスに基づいて、前記データ管理サーバ（４０）から前記アプリケーションをダウンロードし、ダウンロードした前記アプリケーションと前記会員情報とを前記記憶部（３２）に記憶すること、を特徴とする会員管理機能付加システム（１）である。
請求項２の発明は、請求項１に記載の会員管理機能付加システム（１）において、前記通信端末機（３０）は、前記記憶部（３２）に記憶した前記アプリケーションを初めて起動したときに、前記データ管理サーバ（４０）から受信した識別情報と、予め前記記憶部（３２）に記憶された識別情報とを比較し、識別情報が一致したときに前記会員情報を前記記憶部（３２）に記憶すること、を特徴とする会員管理機能付加システム（１）である。
請求項３の発明は、請求項１又は請求項２に記載の会員管理機能付加システム（１）において、前記通信端末機（３０）の通信部（３３）は、電子メールを送受信可能であり、前記通信端末機（３０）は、前記読み出し機（２０）から前記送信命令を受信したときに、前記会員情報及び前記識別情報に基づいた電子メール文書を作成するか否かを選択するページを作成し、前記ページにおいて前記電子メール文書を作成すると選択された場合に、前記電子メール文書に前記会員情報及び前記識別情報を含ませて前記データ管理サーバ（４０）に送信すること、を特徴とする会員管理機能付加システム（１）である。
請求項４の発明は、請求項１から請求項３までのいずれか１項に記載の会員管理機能付加システム（１）において、前記読み出し機（２０）は、前記会員情報及び前記識別情報を暗号化して前記通信端末機（３０）に出力すること、を特徴とする会員管理機能付加システム（１）である。
【０００６】
請求項５の発明は、請求項１から請求項４までのいずれか１項に記載の会員管理機能付加システム（１）の通信端末機（３０）に、前記読み出し機（２０）から前記送信命令を受信する命令受信手順（Ｓ１０４）と、前記命令受信手順（Ｓ１０４）で受信した送信命令に基づいて、前記会員情報及び前記識別情報を前記データ管理サーバ（４０）に送信する情報送信手順（Ｓ１０７）と、前記データ管理サーバ（４０）で作成された前記アプリケーションのダウンロード用の管理情報のアドレスを前記通信端末機（３０）に受信するアドレス受信手順（Ｓ１０９）と、前記アドレス受信手順（Ｓ１０９）で受信した前記アプリケーションのダウンロード用の管理情報のアドレスに基づいて、前記データ管理サーバ（４０）から前記アプリケーションをダウンロードするダウンロード手順（Ｓ１１１）と、前記ダウンロード手順（Ｓ１１１）でダウンロードした前記アプリケーションと前記会員情報とを記憶する記憶手順（Ｓ１１２，Ｓ１１４）と、を実行させる通信端末機用プログラムである。
【０００７】
請求項６の発明は、請求項１から請求項４までのいずれか１項に記載の会員管理機能付加システム（１）のデータ管理サーバ（４０）に、前記通信端末機（３０）から前記会員情報及び前記識別情報を受信させる受信手順（Ｓ１０７）と、前記受信手順（Ｓ１０７）で受信した前記会員情報及び前記識別情報に基づいて、前記アプリケーションのダウンロード用の管理情報を作成する作成手順（Ｓ１０８）と、前記作成手順（Ｓ１０８）で作成した前記アプリケーションのダウンロード用の管理情報のアドレスを前記通信端末機に送信させる送信手順（Ｓ１０９）と、前記アプリケーションのダウンロード用の管理情報に対して前記通信端末機（３０）からアクセスがあったときに、前記通信端末機（３０）に前記アプリケーションをダウンロードさせるダウンロード手順（Ｓ１１１）と、を実行させるデータ管理サーバ用プログラムである。
【発明の効果】
【０００８】
本発明によれば、以下のような効果がある。
（１）記録媒体及び通信端末機から会員情報及び識別情報を読み出して、それらの情報をデータ管理サーバに送信することで、会員情報を管理するアプリケーションを通信端末機に記憶させることができるので、会員情報の管理機能の移行作業を簡易にすることができる。
（２）通信端末機は、データ管理サーバから受信した識別情報と、予め記憶部に記憶された識別情報とを比較し、識別情報が一致したときに会員情報を記憶部に記憶するので、読み出し機に識別情報を読み出させた通信端末機と、アプリケーションをダウンロードした通信端末機とが同一の通信端末機であるか否かを確認することができ、不正なアプリケーションの使用を防止することができる。
（３）通信端末機は、読み出し機から送信命令を入力したときに、会員情報及び識別情報に基づいた電子メール文書を作成するか否かを選択するページを作成し、そのページで電子メール文書を作成すると選択された場合に、電子メール文書に会員情報及び識別情報を含ませてデータ管理サーバに送信するので、電子メールの機能で入力した送信命令に基づいて電子メール文書を作成することができない場合においても、使用者に会員情報などを入力させることなく簡易に記録媒体から通信端末機に会員情報の管理機能を移行することができる。
（４）読み出し機は、会員情報と識別情報とを暗号化して通信端末機に出力するので、会員情報及び識別情報が第三者などに不正に開示されるのを防止することができる。
【発明を実施するための最良の形態】
【０００９】
（実施形態）
以下、図面等を参照して、本発明の実施形態をあげてさらに詳しく説明する。
図１は、本発明による会員管理機能付加システムの実施形態の模式図である。図２は、送信コマンドに基づいて携帯電話機の表示部に表示される画面の一例を示す図である。
【００１０】
会員管理機能付加システム１は、図１に示すように、会員カード（記録媒体）１０、読取機２０、携帯電話機（通信端末機）３０及びデータ管理サーバ４０を備え、小売店などで商品などを購入した際に購入額に応じて付加されるポイント（特典）を管理する会員カード１０の会員ＩＤ（会員情報）を携帯電話機３０で管理できるように移行させるシステムである。
具体的には、会員管理機能付加システム１は、会員ＩＤと後述の携帯電話機３０の識別情報とに基づいて、携帯電話機３０で会員ＩＤを管理するための管理アプリケーションをデータ管理サーバ４０から携帯電話機３０にダウンロードさせて会員ＩＤを管理可能にしている。
【００１１】
会員カード１０は、表面に会員ＩＤを記号化したバーコード１１が設けられ、小売店で買い物をする顧客が所有するポイント式のカードである。
読取機２０は、会員ＩＤと後述の携帯電話機３０の識別情報とを読み出す端末であり、バーコードリーダ２１及び非接触通信用リーダ２２を備えている。また、読取機２０は、小売店において容易に携帯電話機３０にポイント管理の機能を移行できるように、小売店の店先などに設置されている。
バーコードリーダ２１は、会員カード１０に設けられたバーコード１１から会員ＩＤを読み出す部分である。
非接触通信用リーダ２２は、後述の携帯電話機３０に設けられた非接触通信部３４に対して後述の識別情報や送信コマンドなどのデータを入出力する部分である。
【００１２】
本実施形態では、読取機２０は、バーコードリーダ２１でバーコード１１の会員ＩＤを読み出し、かつ、非接触通信用リーダ２２で携帯電話機３０の識別情報を読み出したときに、読み出した会員ＩＤと、携帯電話機３０の識別情報とを送信する旨の送信コマンド（送信命令）を携帯電話機３０に非接触通信用リーダ２２を介して出力する。また、読取機２０は、送信コマンドとともに、読み出した会員ＩＤ及び識別情報を暗号化して携帯電話機３０に出力する。
【００１３】
携帯電話機３０は、ＣＰＵ３１、記憶部３２、通信部３３、非接触通信部３４及び表示部３５などを備えた携帯型の電話機であり、電話の通話情報だけでなく、電子メールなどのデータを送受信する機能を有している。
ＣＰＵ３１は、携帯電話機３０の各部を統括制御する回路である。また、本実施形態のＣＰＵ３１は、読取機２０から送信コマンドが入力されたときに、図２（ａ）に示すように、送信コマンドに基づいて電子メール文書を作成するか否かを選択する選択ページを作成して表示部３５に表示する。そして、選択ページで顧客が不図示の操作部などを操作することにより、電子メール文書を作成すると選択されたときに、電子メール文書に設けられた欄（宛先欄、件名欄、本文記入欄）に必要事項を自動的に入力して表示部３５に表示する。具体的には、ＣＰＵ３１は、図２（ｂ）に示すように、電子メール文書の宛先欄Ｍ１にデータ管理サーバ４０のアドレスを、件名欄Ｍ２に「モバイル会員証申込み」を、本文記入欄Ｍ３に読取機２０から入力した暗号化された会員ＩＤ及び識別情報を自動的に入力する。
【００１４】
また、ＣＰＵ３１は、後述のデータ管理サーバ４０からダウンロードした管理アプリケーションを初めて起動したときに、データ管理サーバ４０から受信した識別情報と、後述の記憶部３２に記憶されている識別情報とを比較し、両者が一致しているときに会員ＩＤを記憶部３２に記憶させ、その会員ＩＤに基づいて管理アプリケーションを起動できるようにする。
ここで、ＣＰＵ３１は、記憶部３２に記憶されたプログラムによって上述したような動作が可能となる。
【００１５】
記憶部３２は、携帯電話機３０の動作を管理するプログラムや、携帯電話機３０を識別する識別情報（例えば、固有番号）、後述のデータ管理サーバ４０からダウンロードした管理アプリケーション、会員カード１０の会員ＩＤなどを記憶するメモリである。
通信部３３は、電話の通話情報や、電子メールなどのデータを不図示の基地局に対して送受信する通信インターフェイスである。
非接触通信部３４は、読取機２０の非接触通信用リーダ２２に対して近距離の非接触通信を行うインターフェイスであり、本実施形態では記憶部３２に記憶された識別情報を非接触通信用リーダ２２に出力したり、非接触通信用リーダ２２から送信コマンドなどを入力したりする。
【００１６】
データ管理サーバ４０は、会員ＩＤを管理する管理アプリケーションが保存されたサーバであり、不図示の基地局などを介して携帯電話機３０と通信することができる。データ管理サーバ４０は、会員ＩＤと識別情報とを電子メールで携帯電話機３０から受信したときに、受信した会員ＩＤと識別情報とに基づいて、管理アプリケーションがダウンロード可能な顧客固有のＷｅｂページを作成する。そして、顧客固有のＷｅｂページを作成したら、データ管理サーバ４０は、そのＷｅｂページのアドレス（ＵＲＬ：Ｕｎｉｆｏｒｍ  Ｒｅｓｏｕｒｃｅ  Ｌｏｃａｔｏｒ）を電子メール文書に記載して携帯電話機３０に返信する。
ここで、データ管理サーバ４０は、データ管理サーバ４０の内部に設けられた不図示のメモリに記憶されたプログラムによって上述の動作を行う。
【００１７】
次に、会員管理機能付加システム１による会員カード１０の会員ＩＤ（会員情報）を携帯電話機３０で管理できるように移行させる動作の流れを説明する。図３は、本実施形態の会員情報の移行動作のシーケンスを示す図である。
小売店の会員カード１０を有した顧客は、携帯電話機３０に会員カード１０の機能を移行させたいとき、小売店に赴き、会員カード１０のバーコード１１と、携帯電話機３０の非接触通信部３４とを順次、小売店の店先に設置された読取機２０にかざす。
【００１８】
会員カード１０のバーコード１１がかざされたら、読取機２０は、バーコードリーダ２１によってバーコード１１から会員ＩＤを読み出す（Ｓ１０１）。また、携帯電話機３０の非接触通信部３４がかざされたら、読取機２０は、非接触通信用リーダ２２で識別番号を読み出す（Ｓ１０２）。会員ＩＤ及び識別番号を読み出したら、読取機２０は、会員ＩＤ及び識別番号を暗号化し（Ｓ１０３）、会員ＩＤ及び識別番号をデータ管理サーバ４０に送信する旨の送信コマンドを携帯電話機３０に非接触通信用リーダ２２を介して出力する（Ｓ１０４）。
【００１９】
送信コマンドを受信した携帯電話機３０は、図２（ａ）に示す選択ページを作成して表示部３５に表示し（Ｓ１０５）、図２（ａ）に記載の選択ページの「メールはこちら→ｍａｉｌ  ｔｏ」がワンクリックなどで顧客に選択され、電子メール文書を作成する旨の指示が出されたら、図２（ｂ）に示すように、宛先欄Ｍ１、件名欄Ｍ２及び本文記入欄Ｍ３に必要事項を入力した電子メール文書を作成して表示部３５に表示する（Ｓ１０６）。そして、図２（ｂ）に示す表示部３５の左下方に表示された「送信」が顧客によって不図示の操作部からワンクリックなどで選択されたら、携帯電話機３０は、作成した電子メール文書をデータ管理サーバ４０へ送信する（Ｓ１０７）。
携帯電話機３０から電子メール文書を受信したデータ管理サーバ４０は、電子メール文書に含まれる会員ＩＤと識別情報とに基づいて、顧客固有のダウンロード用のアドレス（ＤＬ．ＵＲＬ）とＵＲＬパラメータとを作成し（Ｓ１０８）、そのＤＬ．ＵＲＬとＵＲＬパラメータとを記載して携帯電話機３０に返信する（Ｓ１０９）。
【００２０】
ＤＬ．ＵＲＬとＵＲＬパラメータとが記載された電子メール文書を携帯電話機３０が受信したら、顧客は、その受信した電子メール文書に記載されたＤＬ．ＵＲＬに基づいて携帯電話機３０からデータ管理サーバ４０にアクセスする（Ｓ１１０）。そして、データ管理サーバ４０は、そのアクセスに基づいて顧客固有のダウンロード用のＷｅｂページを作成し（Ｓ１１１）、そのＷｅｂページから管理アプリケーションを携帯電話機３０にダウンロードさせる（Ｓ１１２）。
管理アプリケーションをダウンロードした携帯電話機３０は、記憶部３２に管理アプリケーションを記憶する（Ｓ１１３）。そして、顧客が管理アプリケーションを初めて起動したときに、携帯電話機３０は、データ管理サーバ４０から受信した識別情報と、予め記憶部３２に記憶された識別情報とを比較し（Ｓ１１４）、両者が一致していると判断したときに会員ＩＤを記憶部３２に保存する（Ｓ１１５）。
【００２１】
以上より、本実施形態の会員管理機能付加システム１には以下のような効果がある。
（１）会員カード１０及び携帯電話機３０から会員ＩＤ及び識別情報を読み出して、それらの情報をデータ管理サーバ４０に送信することで、会員ＩＤを管理する管理アプリケーションを携帯電話機３０にダウンロードして記憶させることができるので、会員カード１０の会員ＩＤを移行して会員ＩＤを管理させる環境を携帯電話機３０に設ける作業を簡易にすることができる。
すなわち、移行に関して顧客に要求される作業は、読取機２０による会員ＩＤ及び識別情報の読み出し作業と、電子メールの送信作業、アプリケーションのダウンロード作業のみであり、読み出し作業は、会員カード１０及び携帯電話機３０を読取機２０にかざすだけであり、送信作業やダウンロード作業は、ワンクリックなどの単純操作をするだけであるので、会員管理機能付加システム１は、会員ＩＤなどを不図示の操作部から入力するなどの手間のかかる操作を一切省くことができる。
（２）携帯電話機３０は、データ管理サーバ４０から受信した識別情報と、予め記憶部３２に記憶された識別情報とを比較し、識別情報が一致したときに会員ＩＤを記憶部３２に記憶するので、読取機２０に識別情報を読み出させた携帯電話機３０と、管理アプリケーションをダウンロードした携帯電話機３０とが同一の携帯電話機であるか否かを確認することができ、不正なアプリケーションの使用を防止することができる。
（３）携帯電話機３０は、読取機２０から送信コマンドを受信したときに、会員ＩＤ及び識別情報に基づいた電子メール文書を作成するか否かを選択するページを作成し、電子メール文書を作成すると選択された場合に、電子メール文書に会員ＩＤ及び識別情報を含ませてデータ管理サーバ４０に送信するので、携帯電話機３０の機種によって依存する電子メールの機能で、受信した送信コマンドを直接処理することができない場合においても、顧客に会員ＩＤなどを電子メール文書に入力させることなく簡易に会員カード１０から携帯電話機３０に会員ＩＤの管理機能を移行することができる。
（４）読取機２０は、会員ＩＤと識別情報とを暗号化して携帯電話機３０に出力しているので、会員ＩＤ及び識別情報が第三者などに不正に開示されるのを防止することができる。
【００２２】
（変形形態）
以上説明した実施形態に限定されることなく、種々の変形や変更が可能であり、それらも本発明の範囲内である。
（１）本実施形態では、送信コマンドを受信した携帯電話機３０は、選択ページを作成及び表示してから電子メール文書を作成したが、電子メールの機能で入力した送信命令に基づいて電子メール文書を作成することができる場合には、選択ページを作成せずに送信コマンドを受信したときに直接、電子メール文書を作成してもよい。
（２）本実施形態では、読取機２０が会員ＩＤを読み出した後に識別情報を読み出す流れで説明したが、これに限定されるものではなく、識別情報を会員ＩＤよりも先に読み出してもよい。
なお、実施形態及び変形形態は、適宜組み合わせて用いることもできるが、詳細な説明は省略する。また、本発明は、以上説明した実施形態によって限定されることはない。
【図面の簡単な説明】
【００２３】
【図１】本発明による会員管理機能付加システムの実施形態の模式図である。
【図２】送信コマンドに基づいて携帯電話機の表示部に表示される画面の一例を示す図である。
【図３】会員管理機能付加システムによる会員カードから携帯電話機への会員情報の移行動作の流れ図である。
【符号の説明】
【００２４】
１０  会員カード
１１  バーコード
２０  読取機
２１  バーコードリーダ
２２  非接触通信用リーダ
３０  携帯電話機
３１  ＣＰＵ
３２  記憶部
３３  通信部
３４  非接触通信部
３５  表示部
４０  データ管理サーバ
【図１】
2009075901.tif 000003
【図２】
2009075901.tif 000004
【図３】
2009075901.tif 000005